【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
計算装置によるレンダリングのためにコンテンツ・パッケージをダウンロードするシステムであって、
目次（ＴＯＣ）データと１つ以上のメディア・ファイルを含む１つ以上の提示とを含むコンテンツ・パッケージを格納するメモリー領域であって、前記コンテンツ・パッケージは前記コンテンツ・パッケージへのバイトレベルのアクセスを提供する物理的な表現を含み、前記ＴＯＣデータは前記コンテンツ・パッケージへのファイルレベルのアクセスを提供する論理的な表現を含み、前記１つ以上の提示の各々は計算装置上で実行されるメディア・プレイヤーの設定に関連付けられる、メモリー領域と、
ネットワークを介して、コンテンツ・プロバイダーから前記コンテンツ・パッケージをダウンロードし、
前記コンテンツ・パッケージ中の前記コンテンツ・パッケージの前記物理的な表現に基づいて前記メモリー領域に前記ダウンロードされたコンテンツ・パッケージを格納し、
前記計算装置上で実行される前記メディア・プレイヤーの設定を識別し、
前記識別された設定及び前記コンテンツ・パッケージの前記物理的な表現に基づいてレンダリングするための、前記提示のうちの１つを選択し、
前記コンテンツ・パッケージの前記論理的な表現を使用して、前記メディア・プレイヤーにおいて前記メディア・ファイルの前記選択された提示をレンダリングする
ようにプログラムされたプロセッサーと
を備えるシステム。
【請求項２】
前記メモリー領域は合成されたコンテンツ識別子をさらに格納し、前記合成されたコンテンツ識別子は、１つ以上の前記メディア・ファイルを含む視聴覚作品を識別する第１の部分と、前記コンテンツ・パッケージの少なくとも１つの符号化特性に対応する第２の部分とを含む請求項１に記載のシステム。
【請求項３】
前記第１の部分はネームスペース識別子を含む請求項２に記載のシステム。
【請求項４】
前記符号化特性は、ビット・レート、動画フォーマット、解像度、暗号化及び圧縮のうち１つ以上を含む請求項２に記載のシステム。
【請求項５】
前記コンテンツ・パッケージは、前記コンテンツ・パッケージに関連付けられるデジタル権利管理システムを識別するデータ、前記メディア・ファイルを解読するためのライセンスを識別するデータ、及び前記コンテンツ・パッケージへのアクセスのためのライセンスを格納するライセンス・サーバーの位置を識別するデータのうち１つ以上をさらに含む請求項１に記載のシステム。
【請求項６】
前記コンテンツ・パッケージはユーザーとのインタラクションのためのファイルをさらに含み、前記プロセッサーはさらに、
前記メディア・プレイヤーの前記識別された設定に基づいて該ファイルのうちの１つ以上を抽出し、
前記ユーザーとのインタラクションのための機能を提供するために前記抽出されたファイルと関連付けられる命令を実行する
ようにプログラムされる請求項１に記載のシステム。
【請求項７】
前記１つ以上のメディア・ファイルは前記コンテンツ・パッケージの外部にあり、１つ以上の外部のファイル・パスが前記コンテンツ・パッケージへ前記１つ以上の外部のメディア・ファイルをコピーするために使用され、又は１つ以上の外部のファイル・パスが前記１つ以上の外部のメディア・ファイルを論理的に含む提示のレンダリング中にストリーミング・アクセスを提供する請求項１に記載のシステム。
【請求項８】
前記プロセッサーはさらに、前記コンテンツ・パッケージに含めるため又は前記コンテンツ・パッケージと関連付けるために追加のコンテンツをダウンロードするようにプログラムされる請求項１に記載のシステム。
【請求項９】
その中のメディア・ファイルを論理的及び物理的に識別するダウンロード可能なコンテンツ・パッケージを定義する手段と、
少なくとも前記ＴＯＣデータ及び前記メディア・ファイルを含む前記コンテンツ・パッケージのデータ構造を定義する手段と
をさらに備える請求項１に記載のシステム。
【請求項１０】
第１の計算装置が、第２の計算装置から、１つ以上のメディア・ファイルを格納するコンテンツ・パッケージを取り出すステップと、
前記取り出されたコンテンツ・パッケージから目次（ＴＯＣ）データを抽出するステップであって、前記コンテンツ・パッケージは前記コンテンツ・パッケージに対応する物理的な表現データを含み、前記ＴＯＣデータは前記コンテンツ・パッケージに対応する論理的な表現データを含み、前記ＴＯＣデータは前記コンテンツ・パッケージに含まれない少なくとも１つのメディア・ファイルをリストする、ステップと、
前記物理的な表現データに基づいて前記コンテンツ・パッケージを格納するステップと、
前記論理的な表現データを使用して、前記メディア・ファイルの１つ以上にアクセスするステップと、
前記第１の計算装置のユーザーへの提示のために前記アクセスされたメディア・ファイルを提供するステップと
を含む方法。
【請求項１１】
前記論理的な表現データを介して、ユーザーに対して前記メディア・ファイルをレンダリングするステップをさらに含む請求項１０に記載の方法。
【請求項１２】
前記論理的な表現データを介して、前記コンテンツ・パッケージ内の前記メディア・ファイルの１つ以上にアクセスするステップをさらに含む請求項１０に記載の方法。
【請求項１３】
前記第１の計算装置上のメディア・プレイヤーの設定を検出するステップをさらに含み、前記メディア・ファイルの１つ以上にアクセスするステップは、前記検出された設定に基づいて前記メディア・ファイルの１つ以上にアクセスするステップを含む請求項１０に記載の方法。
【請求項１４】
前記メディア・プレイヤーの設定を検出するステップは、前記メディア・プレイヤーのソフトウェア設定を検出するステップ及び前記第１の計算装置のハードウェア設定を検出するステップを含む請求項１３に記載の方法。
【請求項１５】
前記ＴＯＣデータは第１のＴＯＣデータを表し、
コンテンツ及び前記コンテンツに関連付けられる第２のＴＯＣデータを取り出すステップと、
前記コンテンツ・パッケージに前記取り出されたコンテンツを加えるステップと、
前記第２のＴＯＣデータを前記第１のＴＯＣデータとマージするステップと
をさらに含む請求項１０に記載の方法。
【請求項１６】
コンピューター実行可能なコンポーネントを有する１つ以上のコンピューター記憶媒体であって、前記コンポーネントは、
少なくとも１つのプロセッサーによって実行されると、前記少なくとも１つのプロセッサーに、複数のメディア・ファイルを有するディスク画像の物理的表現を決定させるセクター・コンポーネントと、
少なくとも１つのプロセッサーによって実行されると、前記少なくとも１つのプロセッサーに、前記メディア・ファイルの論理的表現を生成させるディレクトリー・コンポーネントと、
少なくとも１つのプロセッサーによって実行されると、前記少なくとも１つのプロセッサーに前記ディスク画像のためのコンテンツ・パッケージを作成させるコンテナ・コンポーネントであって、前記コンテンツ・パッケージは、前記メディア・ファイル、前記物理的表現及び前記論理的表現を含み、前記コンテンツ・パッケージは前記コンテンツ・パッケージがブート可能であることを示す記述子を含み、前記論理的表現は計算装置にとって利用可能な最適な提示を識別する、コンテナ・コンポーネントと、
少なくとも１つのプロセッサーによって実行されると、前記少なくとも１つのプロセッサーに、前記計算装置によるアクセスのために前記コンテナ・コンポーネントによって作成された前記コンテンツ・パッケージを提供させる、インターフェース・コンポーネントと
を備える、コンピューター記憶媒体。
【請求項１７】
前記コンテナ・コンポーネントはさらに、前記ディスク画像の符号化特性を識別する請求項１６に記載のコンピューター記憶媒体。
【請求項１８】
前記コンテナ・コンポーネントはさらに、前記識別された符号化特性及び前記ディレクトリー・コンポーネントにより生成された前記メディア・ファイルの論理的表現に基づいて、前記ディスク画像についての合成されたコンテンツ識別子を定義する請求項１７に記載のコンピューター記憶媒体。
【請求項１９】
前記インターフェース・コンポーネントはネットワークを介して前記計算装置によってダウンロードするために前記コンテンツ・パッケージを提供する請求項１６に記載のコンピューター記憶媒体。
【請求項２０】
前記物理的表現のデータは前記コンテンツ・パッケージに格納される前記１つ以上のメディア・ファイルへのバイトレベルのアクセスを提供し、前記論理的表現のデータは前記コンテンツ・パッケージに格納される前記１つ以上のメディア・ファイルへのファイルレベルのアクセスを提供する請求項１０に記載の方法。